(57)【要約】【課題】娯楽室で顧客が使用したＲＦＩＣカードの情報を迅速かつ正確に精算処理すると共に，エラー検出及び管理を容易に行うことを可能としたゲーム用ＲＦＩＣの自動精算装置及びその管理システムを提供する【解決手段】娯楽室内の精算所で顧客が所望の金額を充填し，この充填された金額範囲内でゲームを楽しむようにするＲＦＩＣカードと，前記ＲＦＩＣカードの精算に必要な各種キー信号を入力するキー入力部，前記キー入力部で入力されるキー信号によって，回収されるＲＦＩＣカードを読み取るカード読取り部，前記カード読取り部で読み取られたＲＦＩＣカードの情報を所定のプログラムによって精算処理制御する制御部，前記制御部で精算処理制御された信号を表示する表示部，及び前記制御部で精算処理制御された結果による精算金額を支給し，領収証を発給する現金支給機からなる自動精算装置とを含んでなる。【選択図】図２
2005018732.tif 000002
【特許請求の範囲】
【請求項１】
娯楽施設内の精算所で顧客が所望の金額を充填し，前記充填された金額範囲内でゲームを楽しむためのＲＦＩＣカードと通信可能なゲーム用ＲＦＩＣカード自動精算装置であって：
前記ＲＦＩＣカードの精算に必要な各種キー信号を生成するために入力するキー入力部と；
前記キー入力部で入力されるキー信号によって，回収される１又は２枚以上のＲＦＩＣカードを一括して読み取るカード読取り部と；
前記カード読取り部で読み取られたＲＦＩＣカードの情報を所定のプログラムによって精算処理を少なくとも制御する制御部と；
前記制御部で精算処理制御された信号を表示する表示部と；
前記制御部で精算処理制御された結果による精算金額を支給し，領収証を発行する現金支給機と；
を備えることを特徴とする，ゲーム用ＲＦＩＣカード自動精算装置。
【請求項２】
前記カード読取り部は，前記ＲＦＩＣカードに所定の無線周波数を発生し，該ＲＦＩＣカードに記憶された固有管理番号及び残額情報を，前記無線周波数を介して読み取るために，ＲＦ発生部，ＲＦアンテナ，および情報を読書き可能なＲ／Ｗドライブモジュールを備えることを特徴とする，請求項１に記載のゲーム用ＲＦＩＣカード自動精算装置。
【請求項３】
娯楽施設内の精算所で顧客が入金することで，入金された分の金額情報を記憶するＲＦＩＣカードとを備えており，
さらに，前記ＲＦＩＣカードを用いて入金された金額の範囲内でゲーム装置を少なくとも操作することによって，ゲーム終了後，精算に必要な各種キー信号を入力するためのキー入力部と，
前記キー入力部で入力されるキー信号によって，回収されるＲＦＩＣカードを読み取るカード読取り部と，
前記カード読取り部で読み取られたＲＦＩＣカードの情報を所定のプログラムによって精算処理制御する制御部と，
前記制御部で精算処理制御された信号を表示する表示部と，
前記制御部で精算処理制御された結果による精算金額を支給し，領収証を発行する現金支給機からなるゲーム用ＲＦＩＣカード自動精算装置とを備えており，
前記ゲーム用ＲＦＩＣカード自動精算装置には，有無線手段を介してデータを交換しながら，ＲＦＩＣカードの精算及びエラーを管理する統制部がさらに備わることを特徴とする，ゲーム用ＲＦＩＣカード自動精算管理システム。
【請求項４】
前記統制部は，前記ゲーム用ＲＦＩＣカード自動精算装置とオンライン上でデータを交換するとともに，顧客から回収された前記ＲＦＩＣカードを精算及びエラー処理し，前記処理結果を管理するコンピュータと，前記コンピュータから管理された結果を印刷するプリンタとから少なくとも構成されることを特徴とする，請求項３記載のゲーム用ＲＦＩＣカード自動精算管理システム。
【請求項５】
娯楽施設内の精算所で顧客が入金することで，入金された分の金額情報を記憶するＲＦＩＣカードとを備えており，
さらに，前記ＲＦＩＣカードを用いて入金された金額の範囲内でゲーム装置を少なくとも操作することによって，ゲーム終了後，精算に必要な各種キー信号を入力するためのキー入力部と，
前記キー入力部で入力されるキー信号によって，回収されるＲＦＩＣカードを読み取るカード読取り部と，
前記カード読取り部で読み取られたＲＦＩＣカードの情報を所定のプログラムによって精算処理制御する制御部と，
前記制御部で精算処理制御された信号を表示する表示部と，
前記制御部で精算処理制御された結果による精算金額を支給し，領収証を発行する現金支給機からなるゲーム用ＲＦＩＣカード自動精算装置とを備えており，
前記ゲーム用ＲＦＩＣカード自動精算装置には，有無線手段を介してデータを交換しながら，顧客から回収されたＲＦＩＣカードの新規発給及び価値更新を管理するＲＦＩＣカード管理部がさらに備わることを特徴とする，ゲーム用ＲＦＩＣカードの自動精算管理システム。
【請求項６】
前記ＲＦＩＣカード管理部は，前記統制部とオンライン上でデータ信号を交換しながら，顧客から回収された前記ＲＦＩＣカードを所定のプログラムによって新規発給及び価値更新処理し，該処理の結果を前記統制部に伝送するコンピュータと；
前記コンピュータからの処理結果を印刷するプリンタと；
前記顧客から回収されたＲＦＩＣカードを読み及び／又は書きするＲ／Ｗドライブと；
からなることを特徴とする，請求項５記載のゲーム用ＲＦＩＣカード自動精算管理システム。
【請求項７】
娯楽施設内の精算所で顧客が入金することで，入金された分の金額情報を記憶するＲＦＩＣカードとを備えており，
さらに，前記ＲＦＩＣカードを用いて入金された金額の範囲内でゲーム装置を少なくとも操作することによって，ゲーム終了後，精算に必要な各種キー信号を入力するためのキー入力部と，
前記キー入力部で入力されるキー信号によって，回収されるＲＦＩＣカードを読み取るカード読取り部と，
前記カード読取り部で読み取られたＲＦＩＣカードの情報を所定のプログラムによって精算処理制御する制御部と，
前記制御部で精算処理制御された信号を表示する表示部と，
前記制御部で精算処理制御された結果による精算金額を支給し，領収証を発行する現金支給機からなるゲーム用ＲＦＩＣカード自動精算装置とを備えており，
前記ゲーム用ＲＦＩＣカード自動精算装置には，有無線手段を介してデータを交換しながら，前記ＲＦＩＣカードの精算管理及びエラー管理を行う統制部と；
前記統制部と有無線手段を介してデータを交換しながら，顧客から回収されたＲＦＩＣカードの新規発給及び価値更新を管理するＲＦＩＣカード管理部と；
がさらに備えられることを特徴とする，ゲーム用ＲＦＩＣカード自動精算管理システム。
【発明の詳細な説明】
【技術分野】
【０００１】
本発明は，ゲーム用ＲＦＩＣ(Ｒａｄｉｏ  Ｆｒｅｑｕｅｎｃｙ  Ｉｎｔｅｇｒａｔｅｄ  Ｃｉｒｃｕｉｔｓ)カードの自動精算装置及びその管理システムに関する。
【背景技術】
【０００２】
一般に，ゲームセンターなどの娯楽施設で用いられる貨幣の代用の一種であるＲＦＩＣカードには，上記カード自体の管理番号だけでなく，顧客が適当な金額を充填（チャージ）して使用することを可能にするＲＦチップと，このＲＦチップのデータを送受信するＲＦアンテナとが少なくとも備えられている。
したがって，入金した金額の情報をＲＦＩＣカードに格納し，商品などを購入するたびに，上記金額情報をＲＦＩＣカードから読み出し，当該金額情報から所定の購入金額だけ減算し，ＲＦＩＣカードに更新している。
なお，ＲＦ（Ｒａｄｉｏ  Ｆｒｅｑｕｅｎｃｙ：高周波，無線周波数）ＩＣとは，高周波の信号を処理するアナログ回路の総称である。例えば，ＲＦＩＣが備わる携帯電話等にも，ＲＦを介してデータを送受するための発振器，増幅器，Ａ／Ｄ変換器，フィルタなどが備わっている。
顧客（ユーザ）は，娯楽施設に備わるゲーム機などをプレイ又は利用時にＲＦＩＣカードを用いて精算所又は両替所で精算を受け，適当な金額が充填（チャージ）されたＲＦＩＣカードを用いて，ゲームを楽しんだ後，ユーザが退場する際に，ゲームプレイ中に使用した分の代金だけ，ＲＦＩＣカードに対して精算所又は両替所に立ち寄って精算を受ける。この際，顧客（ユーザ）は，自分が使用したＲＦＩＣカードに対して精算を受け，ゲーム時に獲得した金額又は残額を現金で受け取ることになる。
このように顧客のＲＦＩＣカードを精算する精算機には，例えば娯楽施設や公衆電話，バス，地下鉄などで使用するプリペイドカード等の磁気（マグネチック）カードなどによって精算する精算機がある。
【発明の開示】
【発明が解決しようとする課題】
【０００３】
しかしながら，上記ＲＦＩＣカードを精算する精算機は，ＲＦチップに対して金額等のデータを読み書きすることができるが，精算時には一々読取りながら精算し，清算結果を行わなければならない。
また，精算機の処理速度が遅い上，一度に複数枚のＲＦＩＣカードを積層等した状態で精算時にどのカードにエラー又は不良が発生しているのかを検出することが容易でなかった。
なお，公衆電話，バス，地下鉄などで使用する精算機は，読み取りのみ可能であって，書き込みが困難なので，記録されたデータのみを検出して精算するしかなく，しかも一枚ずつ検出し，読み取るようになっているため，精算処理を迅速に行うことができない。
本発明の目的は，娯楽室内に設置され，ゲーム後に顧客から回収される多数のＲＦＩＣカードを迅速に精算処理すると共に，前記ＲＦＩＣカードのエラーを正確に管理することが可能なゲーム用ＲＦＩＣカードの自動精算装置及びその管理システムを提供することにある。
【課題を解決するための手段】
【０００４】
上記課題を解決するため，本発明の第１の観点によれば，娯楽室内の精算所で顧客が所望の金額を充填し，この充填された金額範囲内でゲームを楽しむようにするＲＦＩＣカードと，前記顧客から回収されるＲＦＩＣカードを読み取ってエラーを検出するとともに，残額を精算して支給する自動精算装置とを含んでなることを特徴とする。
自動精算装置には，有無線手段を介してデータを交換しながらＲＦＩＣカードを精算管理する統制部がさらに備えられる。
統制部には，有無線手段を介して，顧客から回収されたＲＦＩＣカード新規発給及び価値更新を管理するＲＦＩＣカード管理部がさらに備えられる。
したがって，本発明によれば，顧客が娯楽室でゲームを楽しんだ後，顧客から回収される多数のＲＩＦＣカードに対して迅速に読み取りながら精算処理するとともに，ＲＦＩＣカードのエラーを検出し，前記ＲＦＩＣカードの精算処理及びＲＦＩＣカードのエラー結果をオンラインを介して管理しながら新規発給及び価値更新処理を管理制御可能にすることにより，娯楽室の運用及び顧客に便利さを提供することができる。
【０００５】
上記課題を解決するために，本発明の別の観点によれば，娯楽施設内の精算所で顧客が所望の金額を充填し，前記充填された金額範囲内でゲームを楽しむためのＲＦＩＣカードと通信可能なゲーム用ＲＦＩＣカード自動精算装置が提供される。ゲーム用ＲＦＩＣカード自動精算装置は，ＲＦＩＣカードの精算に必要な各種キー信号を生成するために入力するキー入力部と；キー入力部で入力されるキー信号によって，回収される１又は２枚以上のＲＦＩＣカードを一括して読み取るカード読取り部と；カード読取り部で読み取られたＲＦＩＣカードの情報を所定のプログラムによって精算処理を少なくとも制御する制御部と；制御部で精算処理制御された信号を表示する表示部と；制御部で精算処理制御された結果による精算金額を支給し，領収証を発行する現金支給機とを備えることを特徴としている。
本発明によれば，顧客（ユーザ）が入金することで，チャージされるＲＦＩＣカードを用いてゲーム装置を操作し，楽しむことができる。その対価としてＲＦＩＣカードにチャージされた金額情報から所定のプレイ代金分だけ減額される。ゲーム終了後，そのＲＦＩＣカードを回収し，精算するために精算所に設けられたゲーム用ＲＦＩＣカード自動精算装置（自動精算装置。）にＲＦＩＣカードを挿入（装填）する。かかる構成によれば，当該カードを複数枚一括して通信することが可能であるため，効率的にエラーの検知または精算処理を実行することができ，ＲＦＩＣカードを効率的に回収し，顧客にストレスを与えるのを軽減し，娯楽施設における売上を向上させることができる。
カード読取り部は，ＲＦＩＣカードに所定の無線周波数を発生し，該ＲＦＩＣカードに記憶された固有管理番号及び残額情報を，無線周波数を介して読み取るために，ＲＦ発生部，ＲＦアンテナ，および情報を読書き可能なＲ／Ｗドライブモジュールを備えるように構成してもよい。
【０００６】
上記課題を解決するために，本発明の別の観点によれば，ゲーム用ＲＦＩＣカード自動精算管理システムは，娯楽施設内の精算所で顧客が入金することで，入金された分の金額情報を記憶するＲＦＩＣカードとを備えており，さらに，ＲＦＩＣカードを用いて入金された金額の範囲内でゲーム装置を少なくとも操作することによって，ゲーム終了後，精算に必要な各種キー信号を入力するためのキー入力部と，キー入力部で入力されるキー信号によって，回収されるＲＦＩＣカードを読み取るカード読取り部と，カード読取り部で読み取られたＲＦＩＣカードの情報を所定のプログラムによって精算処理制御する制御部と，制御部で精算処理制御された信号を表示する表示部と，制御部で精算処理制御された結果による精算金額を支給し，領収証を発行する現金支給機からなるゲーム用ＲＦＩＣカード自動精算装置とを備えており，ゲーム用ＲＦＩＣカード自動精算装置には，有無線手段を介してデータを交換しながら，ＲＦＩＣカードの精算及びエラーを管理する統制部がさらに備わることを特徴としている。
統制部は，ゲーム用ＲＦＩＣカード自動精算装置とオンライン上でデータを交換するとともに，顧客から回収されたＲＦＩＣカードを精算及びエラー処理し，処理結果を管理するコンピュータと，コンピュータから管理された結果を印刷するプリンタとから少なくとも構成されてもよい。
【０００７】
上記課題を解決するために，本発明の別の観点によれば，ゲーム用ＲＦＩＣカード自動精算管理システムは，娯楽施設内の精算所で顧客が入金することで，入金された分の金額情報を記憶するＲＦＩＣカードとを備えており，さらに，ＲＦＩＣカードを用いて入金された金額の範囲内でゲーム装置を少なくとも操作することによって，ゲーム終了後，精算に必要な各種キー信号を入力するためのキー入力部と，キー入力部で入力されるキー信号によって，回収されるＲＦＩＣカードを読み取るカード読取り部と，カード読取り部で読み取られたＲＦＩＣカードの情報を所定のプログラムによって精算処理制御する制御部と，制御部で精算処理制御された信号を表示する表示部と，制御部で精算処理制御された結果による精算金額を支給し，領収証を発行する現金支給機からなるゲーム用ＲＦＩＣカード自動精算装置とを備えており，ゲーム用ＲＦＩＣカード自動精算装置には，有無線手段を介してデータを交換しながら，顧客から回収されたＲＦＩＣカードの新規発給及び価値更新を管理するＲＦＩＣカード管理部がさらに備わることを特徴としている。
ＲＦＩＣカード管理部は，統制部とオンライン上でデータ信号を交換しながら，顧客から回収されたＲＦＩＣカードを所定のプログラムによって新規発給及び価値更新処理し，該処理の結果を前記統制部に伝送するコンピュータと；コンピュータからの処理結果を印刷するプリンタと；顧客から回収されたＲＦＩＣカードを読み及び／又は書きするＲ／Ｗドライブとからなることを特徴としている。
また，上記課題を解決するために，本発明の別の観点によれば，ゲーム用ＲＦＩＣカード自動精算管理システムは，娯楽施設内の精算所で顧客が入金することで，入金された分の金額情報を記憶するＲＦＩＣカードとを備えており，さらに，ＲＦＩＣカードを用いて入金された金額の範囲内でゲーム装置を少なくとも操作することによって，ゲーム終了後，精算に必要な各種キー信号を入力するためのキー入力部と，キー入力部で入力されるキー信号によって，回収されるＲＦＩＣカードを読み取るカード読取り部と，カード読取り部で読み取られたＲＦＩＣカードの情報を所定のプログラムによって精算処理制御する制御部と，制御部で精算処理制御された信号を表示する表示部と，制御部で精算処理制御された結果による精算金額を支給し，領収証を発行する現金支給機からなるゲーム用ＲＦＩＣカード自動精算装置とを備えており，ゲーム用ＲＦＩＣカード自動精算装置には，有無線手段を介してデータを交換しながら，ＲＦＩＣカードの精算管理及びエラー管理を行う統制部と；統制部と有無線手段を介してデータを交換しながら，顧客から回収されたＲＦＩＣカードの新規発給及び価値更新を管理するＲＦＩＣカード管理部とがさらに備えられることを特徴としている。
また，上記課題を解決するために，本発明の別の観点によれば，娯楽施設内の精算所で顧客が所望の金額を充填し，充填された金額範囲内でゲームを楽しむためのＲＦＩＣカードと通信可能なゲーム用ＲＦＩＣカード自動精算装置が提供される。ＲＦＩＣカードの精算に必要な各種キー信号を生成するために入力するキー入力部と；キー入力部で入力されるキー信号によって，回収される１又は２枚以上のＲＦＩＣカードを一括して読み取るカード読取り部と；カード読取り部で読み取られたＲＦＩＣカードの情報を所定のプログラムによって精算処理を少なくとも制御する制御部と；制御部で精算処理制御された信号を表示する表示部と；制御部で精算処理制御された結果による精算金額を支給し，領収証を発行する現金支給機とを備えることを特徴としている。
カード読取り部は，ＲＦＩＣカードに所定の無線周波数，電磁波，または高周波を発生し，入力されている固有管理番号及び残額を読み取るＲＦ発生部，ＲＦアンテナ及びＲ／Ｗドライブモジュールからなるように構成してもよい。
【０００８】
上記課題を解決するために，本発明の別の観点によれば，ゲーム用ＲＦＩＣカードの自動精算管理システムは，娯楽室内の精算所で顧客が所望する金額を充填し，この充填された金額範囲内でゲームを楽しむようにするＲＦＩＣカードと，ＲＦＩＣカードの精算に必要な各種キー信号を入力するキー入力部，キー入力部で入力されるキー信号によって，回収されるＲＦＩＣカードを読み取るカード読取り部，カード読取り部で読み取られたＲＦＩＣカードの情報を所定のプログラムによって精算処理制御する制御部，制御部で精算処理制御された信号を表示する表示部，及び制御部で精算処理制御された結果による精算金額を支給し，領収証を発給する現金支給機からなる自動精算装置とを含んでなり，自動精算装置には，有無線手段を介してデータを交換しながら，ＲＦＩＣカードの精算及びエラーを管理する統制部がさらに備えられることを特徴としている。
統制部は，自動精算装置とモデムを介してオンライン上でデータを交換しながら，顧客から回収されたＲＦＩＣカードを精算及びエラー処理し，その処理結果を管理するコンピュータと，コンピュータから管理された結果を印刷するプリンタとからなるように構成してもよい。
【０００９】
上記課題を解決するために，本発明の別の観点によれば，ゲーム用ＲＦＩＣカードの自動精算管理システムは，娯楽室内の精算所で顧客が所望する金額を充填し，この充填された金額範囲内でゲームを楽しむようにするＲＦＩＣカードと，ＲＦＩＣカードの精算に必要な各種キー信号を入力するキー入力部，キー入力部で入力されるキー信号によって，回収されるＲＦＩＣカードを読み取るカード読取り部，カード読取り部で読み取られたＲＦＩＣカードの情報を所定のプログラムによって精算処理制御する制御部，制御部で精算処理制御された信号を表示する表示部，及び制御部で精算処理制御された結果による精算金額を支給し，領収証を発給する現金支給機からなる自動精算装置とを含んでなり，自動精算装置には，有無線手段を介してデータを交換しながら，顧客から回収されたＲＦＩＣカードの新規発給及び価値更新を管理するＲＦＩＣカード管理部がさらに備えられることを特徴としている。
ＲＦＩＣカード管理部は，統制部とオンライン上でデータ信号を交換しながら，顧客から回収されたＲＦＩＣカードを所定のプログラムによって新規発給及び価値更新処理し，その処理された結果を前記統制部に伝送するコンピュータと，コンピュータから処理結果を印刷するプリンタと，顧客から回収されたＲＦＩＣカードをＲｅａｄ／ＷｒｉｔｅするＲ／ＷドライブまたはＲ／Ｗドライブモジュールとからなるように構成してもよい。
【００１０】
また，上記課題を解決するために，本発明の別の観点によれば，ゲーム用ＲＦＩＣカードの自動精算管理システムが提供される。ゲーム用ＲＦＩＣカードの自動精算管理システムは，娯楽室内の精算所で顧客が所望する金額を充填し，この充填された金額範囲内でゲームを楽しむようにするＲＦＩＣカードと，ＲＦＩＣカードの精算に必要な各種キー信号を入力するキー入力部，キー入力部で入力されるキー信号によって，回収されるＲＦＩＣカードを読み取るカード読取り部，カード読取り部で読み取られたＲＦＩＣカードの情報を所定のプログラムによって精算処理制御する制御部，制御部で精算処理制御された信号を表示する表示部，及び制御部で精算処理制御された結果による精算金額を支給し，領収証を発給する現金支給機からなる自動精算装置とを含んでなり，自動精算装置には，有無線手段を介してデータを交換しながら，ＲＦＩＣカードの精算管理及びエラー管理を行う統制部と，統制部と有無線手段を介してデータを交換しながら，顧客から回収されたＲＦＩＣカードの新規発給及び価値更新を管理するＲＦＩＣカード管理部とがさらに備えられていることを特徴としている。
【発明の効果】
【００１１】
以上説明したように，本発明によれば，娯楽施設のアトラクションを楽しむために用いられる，適当な金額がチャージされた多数のＲＦＩＣカードを迅速に読み取りながら精算処理するとともに，ＲＦＩＣカードのエラー又は不良を検出し，ＲＦＩＣカードの精算処理及びＲＦＩＣカードのエラー結果を，オンラインを介して管理しながら新規発給及び価値更新処理を管理制御可能とすることにより，娯楽施設の運用の効率性，容易性の向上及び顧客に対して利用の簡便性を提供することができる。
【発明を実施するための最良の形態】
【００１２】
以下，本発明の好適な実施の形態について，添付図面を参照しながら詳細に説明する。なお，以下の説明及び添付図面において，略同一の機能及び構成を有する構成要素については，同一符号を付することにより，重複説明を省略する。
【００１３】
図１は，本実施の形態に係るゲーム用ＲＦＩＣカードの自動精算装置を示すブロック図であり，図２は，本実施の形態に係るゲーム用ＲＦＩＣカードの自動精算装置の処理手順を示すフローチャートである。
【００１４】
本実施の形態に係るゲーム用ＲＦＩＣカードの自動精算装置２０は，娯楽施設内の精算所又は入口等で顧客（ユーザ）が所望の金額を充填（チャージ）し，この充填された金額範囲内でゲームを楽しむようにするＲＦＩＣカード１０と，上記顧客から回収されるＲＦＩＣカード１０を読み取ってエラーを検出するとともに，残額を精算して支給する自動精算装置２０とを含んでなる。上記チャージは，ＲＦＩＣカード１０に貨幣と同等の対価を有する金額の情報を記憶することの総称をいい，例えば，１０００円をチャージするとは，１０００円を支払い，１０００円の金額情報がＲＦＩＣカードに格納されることをいう。
【００１５】
なお，本実施の形態にかかるＲＦＩＣカード１０は，ＲＦ（高周波）による無線通信可能なカードであり，例えば，ＲＦＩＣカード１０と通信可能なＩＣカードリーダライタ等との間で物理的な接触することなく通信を実行することが可能な非接触ＩＣカードを例示することができる。
【００１６】
非接触ＩＣカードの場合，ＲＦＩＣカード１０をＩＣカードリーダライタにかざすだけで，ＲＦＩＣカード１０とＩＣカードリーダライタとは通信することができる。通信の際には，暗号化処理されたデータを，電磁波を介して送受信することも実施可能である。
【００１７】
さらには，上記非接触ＩＣカードに限定されず，ＲＦＩＣカード１０は，例えば，通信相手であるＩＣカードリーダライタ等と物理的に接触することで通信することが可能な接触ＩＣカード等の場合であっても実施することができる。
【００１８】
上記ＲＦＩＣカード１０は，該カードに割当てられる固有の識別番号と，金額が充填（チャージ）された情報を記憶管理等するＲＦチップと，上記ＲＦチップの信号を無線周波数ＲＦを用いて送受信するＲＦアンテナとから少なくとも構成される。
【００１９】
上記自動精算装置２０は，娯楽施設内の精算所に１又は２以上設置され，顧客（ユーザ）のＲＦＩＣカード１０の精算に必要な各種キー信号を入力するためのキー入力部２１と，上記キー入力部２１で入力されるキー信号によって，回収されるＲＦＩＣカード１０に格納されている情報を読取るカード読取り部２２と，上記カード読取り部２２で読取られたＲＦＩＣカード１０の情報を所定のプログラムを活用することで，精算処理等の処理を制御し，処理を実行する制御部２３と，上記制御部２３で精算処理された結果等を表示する表示部２４と，上記制御部２３で精算処理された結果に基づき，精算金額を支給し，領収証を発行する現金支給機２５とから少なくとも構成される。
【００２０】
上記キー入力部は，制御部２３に送信する信号を生成するために，複数のボタンが備わるキーボード部や，マウス，またはタッチスクリーン等のうち少なくとも一つが備わる。
【００２１】
上記カード読取り部２２は，ＲＦＩＣカードと通信するために，起動信号を絶えず出力している。ＲＦＩＣカード１０が上記信号の届く範囲にまで接近すると，ＲＦＩＣカードは，その信号のエネルギーにより起電力が発生してＲＦＩＣカード１０の内部の回路がスタートし，カード読取り部２２との交信を開始する。
【００２２】
また，カード読取り部は，ＲＦＩＣカードに所定の無線周波数を発生し，該ＲＦＩＣカードに記憶された固有管理番号及び残額情報を，前記無線周波数を介して読み取るためのＲＦ発生部と；
【００２３】
前記ＲＦＩＣカードから無線周波数を受信し，前記固有管理番号と残額情報を取得する前記ＲＦアンテナと，
【００２４】
前記取得した固有管理番号と残額情報を読書きするためのＲ／Ｗドライブモジュールからなることを特徴とする請求項１記載のゲーム用ＲＦＩＣカードの自動精算装置。
【００２５】
さらに，カード読取り部２２に備わる情報を読書きするためのＲ／Ｗドライブモジュールは，複数枚のＲＦＩＣカード１０を並行して又は交互等に，高周波を受信し，通信するために複数のＲ／Ｗドライブモジュールが備わり，各Ｒ／Ｗドライブモジュールはチャネルを介して制御部２３に接続されている。
【００２６】
したがって，１枚ずつＲＦＩＣカード１０を読取らせるために，挿入するのではなく，複数枚のＲＦＩＣカード１０を一括して，カード読み取り部２２によって，通信することが可能となる。なお，複数枚のＲＦＩＣカード１０と通信する場合，ＲＦＩＣカード１０が設置された状態は，積層状態等に限定されず，いかなる状態でも実施可能である。
【００２７】
上記制御部２３は，ＲＦＩＣカード１０から読み取られた信号を受信し，所定のプログラムを活用して，精算処理する。また，さらに制御部２３は，精算処理された結果を出力するための表示部，モデム等の通信部，プリンタ等の出力部を備える場合でもよい。
【００２８】
なお，本実施の形態にかかる制御部２３は，表示部，通信部，出力部を備える場合を例に挙げて説明したが，かかる例に限定されず，例えば，制御部２３は，通信部を備え，表示部と，出力部には，別体として外部接続する場合，表示部，通信部，および出力部と全て外部接続する場合等でも実施することができる。
【００２９】
表示部２４は制御部２３で制御処理された信号を表示するためのＬＣＤまたはＣＲＴ等から構成される。現金支給機２５は通常の現金自動預払機（ＡＴＭ）等からなる。
【００３０】
次に図３は，本発明の実施の形態に係るゲームＲＦＩＣカードの自動精算管理システムの概略を示すブロック図である。自動精算装置２０には，有無線手段（電話，モデム，無線モデム）からなるネットワークを介してデータを交換しながら，ＲＦＩＣカード１０の精算管理及びエラー管理等を行う統制部３０が連結される。
【００３１】
統制部３０は，自動精算装置２０とモデム等のネットワークを介してオンライン上でデータを交換しながら，顧客から回収されたＲＦＩＣカード１０の精算及び精算処理などに係るエラー処理を行い，その処理結果を管理するコンピュータ３１と，コンピュータ３１から管理された結果を印刷するプリンタ３２とからなる。
【００３２】
なお，ネットワークは，自動精算装置２０，統制部３０，ＲＦＩＣカード管理部４０の間を相互に双方向通信可能に接続するものであり，典型的にはＡＤＳＬ（Ａｓｙｍｍｅｔｒｉｃ  Ｄｉｇｉｔａｌ  Ｓｕｂｓｃｒｉｂｅｒ  Ｌｉｎｅ）またはＦＴＴＨ（Ｆｉｂｅｒ  Ｔｏ  Ｔｈｅ  Ｈｏｍｅ）などそれに類する方法で接続するインターネットなどの公衆回線網であるが，ＷＡＮ，ＬＡＮ，ＩＰ−ＶＰＮなどの閉鎖回線網も含む。また接続媒体は，ＦＤＤＩ（Ｆｉｂｅｒ  Ｄｉｓｔｒｉｂｕｔｅｄ  Ｄａｔａ  Ｉｎｔｅｒｆａｃｅ）などによる光ファイバケーブル，Ｅｔｈｅｒｎｅｔ（登録商標）による同軸ケーブル又はツイストペアケーブル，もしくはＩＥＥＥ８０２．１１ｂなどによる無線など，有線無線を問わず，衛星通信網なども含む。
【００３３】
また，統制部３０には，有無線手段（電話，モデム，無線モデム）等からなるネットワークを介して顧客から回収されたＲＦＩＣカード１０の新規発給及び金額等の価値更新又はクリア等を管理するＲＦＩＣカード管理部４０が連結される。
【００３４】
ＲＦＩＣカード管理部４０は，統制部３０とオンライン上でデータ信号を交換しながら，顧客から回収されたＲＦＩＣカード１０を所定のプログラムによって新規発給及び価値更新処理し，この処理された結果を統制部３０に伝送するコンピュータ４１と，コンピュータ４１から送信される処理結果を領収書として紙媒体などに印刷するプリンタ４２と，顧客から回収されたＲＦＩＣカード１０をＲ／ＷするＲ／Ｗドライブ４３とからなる。
【００３５】
このように構成される本発明によれば，娯楽施設の備わるゲーム機等を楽しむために，娯楽施設内に設けられた精算所の自動精算装置２０に行き，所望の金額に相当するＲＦＩＣカード１０を申し込んで発給を受け，次に所望の金額が充填されたＲＦＩＣカード１０を用いて所望のゲーム機でゲームを楽しむ。
【００３６】
次に，ゲームを楽しむ途中で，ＲＦＩＣカード１０に充填された金額を使用し切った場合，顧客は，前記精算所で所望の金額に相当するＲＦＩＣカード１０の再発給或いは充填を受けてさらにゲームを楽しむ。
【００３７】
ところが，ゲーム終了或いはゲーム途中に退場する場合，顧客が，使用中のＲＦＩＣカード１０を精算又は返納するために精算所で自動精算装置２０のカード読取り部２２に投入し，例えば，キーボードの複数のキーうち，「精算」キーボタンを押下すると，精算するためのキー信号が生成され，自動精算装置２０のカード読取り部２２が，駆動し，投入されたＲＦＩＣカード１０にＲＦ発生部，ＲＦアンテナを介して所定の無線の高周波を発生し，ＲＦＩＣカード１０からＲ／Ｗドライブモジュールを介して固有管理番号及び残額を読み取った後，制御部２３に入力する。
【００３８】
したがって，制御部２３は，ＲＦＩＣカード１０に格納された固有管理番号及び残額を所定のプログラムを活用し，または制御して読み取り，その読み取られた結果を表示部２４に表示させる。これにより，顧客（ユーザ）は，表示された結果を見て残額に対する精算金額を確認することになる。
【００３９】
この際，表示結果に基づき，制御部２３は，読み込みエラーなど，ＲＦＩＣカード１０に対するエラー又は不良があるか否かを判断した後，ＲＦＩＣカード１０にエラーが発生した場合にはエラーについて表示部２４に表示させる。一方，ＲＦＩＣカード１０が正常の場合には，制御部２３が現金支給機２５を制御して精算結果による残額を上記説明のＡＴＭを通じて，現金を自動支給し，その精算結果を制御部２３に格納しておく。
【００４０】
次に，制御部２３では，プリンタを制御して精算結果に対する領収証を発行し，その結果を，モデム等からのネットワークを介して統制部３０に伝送する。統制部３０のコンピュータ３１では，自動精算装置２０で精算されたＲＦＩＣカード１０に対する精算結果データ及びエラー事項に対するデータを格納し，プリンタ３２によって印刷しておく。
【００４１】
このように上記自動精算装置２０では，顧客から回収されるＲＦＩＣカード１０を精算するときに一枚ずつ精算を行うが，多数のＲＦＩＣカード１０を一挙にカード読取り部２２に挿入した状態で順次読み取り，その読取り結果を表示部２４に表示することにより，確認することができる。
【００４２】
また，統制部３０では，自動精算装置２０から伝送された結果に応じて，ＲＦＩＣカード管理部４０のコンピュータ４１とモデムを介してオンライン上でデータを交換しながら，顧客から回収された前記ＲＦＩＣカード１０を新規発給及び価値更新処理するようにし，その処理結果を受信して管理する。
【００４３】
したがって，ＲＦＩＣカード管理部４０のコンピュータ４１では，統制部３０のコンピュータ３１とデータを交換しながらＲ／Ｗドライブ４３を制御して，顧客から回収された多数のＲＦＩＣカード１０をＲ／Ｗすることにより新規発給及び価値更新処理を行い，その処理結果をコンピュータ４１に格納すると共に，統制部３０のコンピュータ３１にオンラインで伝送し，その処理結果を統制部３０のコンピュータ３１が管理するようにする。また，ＲＦＩＣカード管理部４０のコンピュータ４１では，プリンタ４２を制御して前記処理結果をプリントしておく。
【００４４】
次に，図２を参照しながら，本実施の形態にかかる自動精算及び管理システムについて簡単に説明する。図２は，本実施の形態にかかる自動精算処理及び管理システムの動作の概略を示すフローチャートである。
【００４５】
図２に示すように，まず，上記システムが作動（Ｓ２０１）し，ＲＦＩＣカード１０が装填され（Ｓ２０３），ＲＦＩＣカード１０が高周波を介してカード読み取り部２２によって通信が行われ（Ｓ２０５），ＲＦＩＣカード１０に格納された金額の残額表示，精算金額等の情報が表示部に表示される（Ｓ２０６）。
【００４６】
次に，ＲＦＩＣカード１０が正常か否かをチェックし（Ｓ２０７），エラーであれば，上記エラー表示され（Ｓ２０９），正常であれば現金支給機２５から精算するために現金が支払われ（Ｓ２１１），上記精算結果が制御部２２に格納され，プリンタによって領収書として印刷される（Ｓ２１３）。最後に読取り対象となるＲＦＩＣカード１０の有無をチェックし（Ｓ２１５），存在しなければ，本実施の形態にかかる上記システムの一連の処理が終了する。
【００４７】
なお，アクセスとは，例えば，システムの利用，サーバへの接続，ファイルの参照，ファイルの保存，ファイルの削除，またはファイルの変更など，通信網を介して情報を処理する情報処理を総称していう。
【００４８】
娯楽施設内に設置されている自動精算装置２０とモデム等と通じ，ネットワークを介してオンライン上でデータを交換しながら，精算管理だけでなく，顧客に対して販売・回収されたＲＦＩＣカード１０に対する新規発給及び価値更新処理を正確に管理することが可能となる。
【００４９】
以上，添付図面を参照しながら本発明の好適な実施形態について説明したが，本発明はかかる例に限定されない。当業者であれば，特許請求の範囲に記載された技術的思想の範疇内において各種の変更例または修正例を想定し得ることは明らかであり，それらについても当然に本発明の技術的範囲に属するものと了解される。
【産業上の利用可能性】
【００５０】
本発明は，ネットワークを介して自動精算処理またはＲＦＩＣカード管理することが可能な自動精算処理・ＲＦＩＣカード管理システムに適用可能である。
【図面の簡単な説明】
【００５１】
【図１】本発明の実施の形態に係るゲーム用ＲＦＩＣカードの自動精算装置を示すブロック図である。
【図２】本発明の実施の形態に係るゲーム用ＲＦＩＣカードの自動精算装置の処理手順を示すフローチャートである。
【図３】本発明の実施の形態に係るゲーム用ＲＦＩＣカードの自動精算管理システムの一実施例を示す図である。
【符号の説明】
【００５２】
１０    ＲＦＩＣカード
２０    自動精算装置
２１    キー入力部
２２    カード読取り部
２３    制御部
２４    表示部
２５    現金支給機
３０    統制部
３１    コンピュータ
３２    プリンタ
４０    ＲＦＩＣカード管理部
４１    コンピュータ
４２    プリンタ
４３    Ｒ／Ｗドライブ
【図１】
2005018732.tif 000003
【図２】
2005018732.tif 000004
【図３】
2005018732.tif 000005